(57)【要約】      （修正有）【課題】スピーカーを備えるモバイル機器のためのスピーカーカバーを提供する。【解決手段】スピーカーカバー１は、モバイル機器２（携帯電話）を嵌め込むことが可能であり、後壁及びスピーカー開口７を備える少なくとも１つの側壁６を備える保護シェル４と、第１の回動軸９の周りを回動可能に保護シェル４に固定された板状の部材８と、第２の回動軸１１の周りを回動可能に第１の板状の部材８に固定された少なくとも１つの第２の板状の部材１０（遮音板）を備える。第１の回動軸９と第２の回動軸１１は、好ましくは互いに垂直であり、保護シェル４は、スピーカー開口７から保護シェル４の後壁に至る音響通路を備える。【選択図】図４
2019110528.tif 000002
【特許請求の範囲】
【請求項１】
スピーカー（３）を備えるモバイル機器（２）のためのスピーカーカバーであって、
その中に前記モバイル機器（２）を嵌め込むことが可能であり、後壁（５）及びスピーカー開口（７）を備える少なくとも１つの側壁（６）を備える保護シェル（４）と、
第１の回動軸（９）の周りを回動可能に前記保護シェル（４）に固定された板状の部材（８）と、を備え、
前記スピーカーカバー（１）は、第２の回動軸（１１）の周りを回動可能に前記第１の板状の部材（８）に固定された少なくとも１つの第２の板状の部材（１０）を備え、
前記回動軸（９，１１）は好ましくは互いに垂直であり、
前記保護シェル（４）は、前記スピーカー開口（７）から前記保護シェル（４）の前記後壁（５）に至る音響通路（１２）を備えていることを特徴とするスピーカーカバー。
【請求項２】
前記保護シェル（４）の前記後壁（５）、前記第１の板状の部材（８）及び前記第２の板状の部材（１０）は、前記第１及び第２の板状の部材（８，１０）並びに前記保護シェル（４）の前記後壁（５）が実質的に互いに平行に方向付けられる平坦に置かれた状態から、前記第１及び第２の板状の部材（８，１０）並びに前記保護シェル（４）の前記後壁（５）がそれぞれ互いに鋭角、直角又は鈍角を形成する立てられた状態へと移行可能であることを特徴とする、請求項１に記載のスピーカーカバー。
【請求項３】
前記２つの板状の部材（８，１０）の形状及び前記回動軸（９，１１）の配置は、前記立てられた状態において、前記第１及び第２の板状の部材（８，１０）が前記保護シェル（４）のための支持具として機能するように選択されていることを特徴とする、請求項２に記載のスピーカーカバー。
【請求項４】
前記板状の部材（８，１０）の形状及び前記回動軸（９，１１）の配置は、前記立てられた状態において、前記保護シェル（４）特に前記後壁（５）並びに前記第１及び第２の板状の部材（８，１０）の側面のエッジのうちの１つが１つの平面（２０）内にあるように選択されており、前記板状の部材（８，１０）及び前記保護シェル（４）は前記平面（２０）と共に１つの容積を画定し、前記容積は前記第２の部材（１０）と対向する側において開放されており、前記音響通路（１２）は前記容積の内部へ向けられていることを特徴とする、請求項２または３に記載のスピーカーカバー。
【請求項５】
前記第１の板状の部材（８）は、関節によって互いに連結された複数のセグメント（１４，１５）を備えていることを特徴とする、請求項１〜４のいずれか１項に記載のスピーカーカバー。
【請求項６】
前記板状の部材（８，１０）の形状及び前記回動軸（９，１１）の配置は、前記立てられた状態において、前記保護シェル（４）特に前記後壁（５）並びに前記第１の板状の部材（８）の前記セグメント（１４，１５）及び前記第２の板状の部材（１０）が１つの容積を画定するように選択されており、前記容積は前記第２の部材（１０）と対向する側において開放されており、前記音響通路（１２）は前記容積の内部へ向けられていることを特徴とする、請求項５に記載のスピーカーカバー。
【請求項７】
前記保護シェル（４）の前記後壁（５）は、特に前記第１の板状の部材（８）と一体に連結されたカバー（１６）を備え、前記カバー（１６）は、前記音響通路（１２）の位置に凹部（１７）を備えることを特徴とする、請求項１〜６のいずれか１項に記載のスピーカーカバー。
【請求項８】
前記第２の板状の部材（１０）は、前記立てられた状態において、前記保護シェル（４）の前記側壁（６）と接触することを特徴とする、請求項２〜７のいずれか１項に記載のスピーカーカバー。
【請求項９】
前記第２の板状の部材（１０）は、前記立てられた状態において、前記保護シェル（４）の前記スピーカー開口（７）を覆うことを特徴とする、請求項８に記載のスピーカーカバー。
【請求項１０】
前記音響通路（１２）は、前記保護シェル（４）の貫通した又は片側だけの凹部として形成されているか、又は、前記保護シェル（４）の全範囲にわたって延びていることを特徴とする、請求項１〜９のいずれか１項に記載のスピーカーカバー。
【請求項１１】
前記音響通路は、前記保護シェルの前記側壁及び／又は前記後壁を延びることを特徴とする、請求項１〜１０のいずれか１項に記載のスピーカーカバー。
【請求項１２】
前記音響通路（１２）は、前記スピーカー開口（７）の全幅にわたって延びていることを特徴とする、請求項１〜１１のいずれか１項に記載のスピーカーカバー。
【請求項１３】
前記音響通路（１２）は、前記スピーカー開口（７）を起点として拡張していることを特徴とする、請求項１〜１２のいずれか１項に記載のスピーカーカバー。
【請求項１４】
前記第１の板状の部材に、特に前記第１の板状の部材のうち前記第２の板状の部材と対向する側に、第３の板状の部材がヒンジ結合されていることを特徴とする、請求項１〜１３のいずれか１項に記載のスピーカーカバー。
【請求項１５】
スピーカー（３）を備えるモバイル機器（２）及び請求項１〜１４のいずれか１項に記載のスピーカーカバー（１）を有するスピーカーシステムであって、前記モバイル機器（２）は前記スピーカーカバー（１）の前記保護シェル（４）の中に嵌め込まれており、前記保護シェル（４）の前記スピーカー開口（７）は、前記モバイル機器（２）の前記スピーカー（３）の位置に配置されているスピーカーシステム。
【請求項１６】
前記第１の板状の部材（８）又は前記第１の板状の部材（８）の１つのセグメント（１４，１５）は、前記平坦な状態において、前記モバイル機器（２）の表示装置の上に載っていることを特徴とする、請求項１５に記載のスピーカーシステム。
【発明の詳細な説明】
【技術分野】
【０００１】
本発明は、スピーカーカバーと併用されるスピーカーシステムを備えるモバイル機器のためのパッシブ音響増幅に関する。特に、本発明は、例えば携帯電話のようなスピーカーを備えるモバイル機器のためのスピーカーカバーであって、その中にモバイル機器を嵌め込むことが可能であると共に後壁及びスピーカー開口を有する少なくとも１つの側壁を備える保護シェルと、第１の回動軸の周りを回動可能に保護シェルに固定された板状の部材と、を備えるものに関する。
【背景技術】
【０００２】
携帯電話、ＭＰ３プレーヤー及びタブレットコンピューターのような多くの娯楽用電子機器は、ますますコンパクトかつ軽量になっているため、常にユーザーによって携行され得る。そのような機器は、しばしばスピーカーを備えている。というのは、ユーザーは、そのような機器を用いて、例えば音楽を聴いたり、映画を見たり、ゲームをしたりしたいからである。しかしながら、そのコンパクトな構造のゆえに、そのような機器には非常に小さなスピーカーしか組み込まれず、それによって、音質が特に低音領域において損なわれる。
【０００３】
特にタブレットコンピューター及びスマートフォンは、従来のデスクトップＰＣ及びとりわけラップトップ及びノートブックと急速に置き換えられている。しかしながら、それらは、構造に起因していくつかの欠点を有している。第一に、壊れやすい画面が外面に露出しており、そのため、すぐにひっかき傷がついたり、又は、壊れたりさえし得る。他の外面も、デザイン上の要請から、大抵の場合、損傷に対して十分に保護されていない。第二に、画面の角度を、ラップトップの場合のよう、にユーザーの方向を指すように傾けることはできない。なぜなら、画面とハウジングがただ一つの固定された部分を形成しているからである。その代わりに、機器は、基礎の上に平坦に載せられるか、又は、操作の際には手で持たなければならない。さらに、コンパクトな構造のゆえに、非常に小さなスピーカーしか組み込まれない。このような構造上の制約のゆえに、このような欠点を除き又は少なくとも和らげるために、多くのアクセサリーが存在する。
【０００４】
タブレットコンピューター及び携帯電話のための保護及び防護機器として、多くの様々な仕様のものが知られている。保護用ケースとスタンドから成る組み合わせが、例えば特許文献１から知られている。キャリーバッグの機能を備えた別のコンピューター保護機器を、特許文献２が開示している。内部にある機器を立てるための器具を備えた堅固なハウジングが、特許文献３から知られている。
【０００５】
モバイル機器の音響特性の改善のための機器も、十分に知られている。これらは、例えばタブレットコンピューターの後面で生成された音波を、特許文献４における音響誘導カバー又は特許文献５における多機能カバーのように、ユーザーに向けて前方へ誘導する。
【０００６】
他の変形例が、音響特性を改善するために、モバイル機器の一体化されたスピーカーを、音響及び共鳴容積の追加により拡充している。これは例えば”Sounder Stand”（非特許文献１）から知られている。”Sounder Stand”よりも大きな音響容積を、木箱として構成されたタブレットコンピューターホルダーである”iBox”（非特許文献２）が提供している。音響容積を備える変形例は、確かに音響特性の最大の改善を提供するが、それらは、嵩張ると共に重い構造を備えるという決定的な欠点を有している。したがって、それらは、まさにそのコンパクトな構造と軽い重量において際立っている携帯電話又はタブレットコンピューターと共に常に携行することには向いていない。
【先行技術文献】
【特許文献】
【０００７】
【特許文献１】欧州特許出願公開第２３８３９６５号明細書
【特許文献２】独国実用新案第２０２０１１０５１４２６号明細書
【特許文献３】独国実用新案第２０２０１２１０００４２号明細書
【特許文献４】米国特許出願公開第２０１３／０００４０１２号明細書
【特許文献５】国際公開第２０１４／１４７４１０号
【非特許文献】
【０００８】
【非特許文献１】［online］、Kickstarter, PBC、”Sounder Stand: natural amplifier for your iPad/iPhone”、インターネット＜URL：https://www.kickstarter.com/projects/1034665231/the-sounder-natural-amplifier-for-the-ipad＞
【非特許文献２】［online］、SlashGear、”iBox is $25 Worth of Wood to Hold Your iPad”、インターネット＜URL：http://www.slashgear.com/ibox-is-25-worth-of-wood-to-hold-your-ipad-2891869/＞
【発明の概要】
【発明が解決しようとする課題】
【０００９】
したがって、課題は、損傷に対する十分な保護を提供し、さらに音質を特に低音領域においても顕著に高めると共に、それにもかかわらずコンパクトで軽量な構造を備えるスピーカーシステムを創出することにある。課題は、さらに、そのようなスピーカーシステムのためのスピーカーカバーを創出することにある。
【課題を解決するための手段】
【００１０】
上記課題は、冒頭に記述した態様の、第２の回動軸の周りを回動可能に第１の板状の部材に固定された少なくとも１つの第２の板状の部材を備え、回動軸が好ましくは互いに垂直であり、保護シェルがスピーカー開口から保護シェルの後壁に向かう音響通路を備えているスピーカーカバーによって解決される。音響通路は、その際、後壁の後面まで、即ち後壁のうちモバイル機器とは反対側を向いた面まで、延びている。音響通路は、それによって、スピーカー開口から保護シェルの後面に至る連結を具現する。
【００１１】
スピーカー開口は、その際、モバイル機器の複数のスピーカーがスピーカー開口の領域に存在するよう、その大きさが決定され配置され得る。さらに、充電接続部又はオーディオ接続部のような１つ又は複数の接続部も、スピーカー開口の領域に存在し得る。
【００１２】
スピーカーシステムは、それが実際のスピーカーに隣接して音響及び共鳴容積を備えている場合に、より高い音質を提供する。共鳴容積を形成する共鳴体を作り出すために、少なくとも３つの側壁が必要とされる。本発明に従って板状の部材及び保護シェルとして具現された３つの側壁、及び、その上に部材が立てられる基礎の表面によって、例えば三角形の底面と一方が開放された正面とを備える角柱が形成される。スピーカーによって生成された音は、音響通路を通って保護シェルの後壁へ、それゆえ音響及び共鳴容積内へと導かれる。本発明によるスピーカーカバーの格別な利点は、第１及び第２の板状の部材が、それらが回動可能であること及び回動軸の配置のゆえに、保護シェル及びそれゆえその中に嵌め込まれたモバイル機器のための支柱として機能し得ることにある。したがって、例えば携帯電話又はタブレットコンピューターのようなモバイル機器を、２つの板状の部材を用いて、所望の位置に保持することが可能である。
【００１３】
そのようなスピーカーカバーを持ち運び可能に構成するために、共鳴体の部品は、ヒンジ又は他の回動可能な連結具を備え得る。それによって、部品は、板状の部材並びに保護シェルの後壁が実質的に互いに平行に重なり合って配置される、平坦に置かれた状態を作り出すよう、折り畳まれ得る。そのような状態において、スピーカーカバーは、携帯機器と共に、容易に場所を取ることなく詰め込まれ得る。
【００１４】
板状の部材及び保護シェルが共鳴容積を形成する立てられた状態において、板状の部材並びに保護シェルの後壁は、互いに鋭角、直角又は鈍角をなして起立する。
【００１５】
この立てられた状態において、第１及び第２の板状の部材は、モバイル機器を特定の角度に立てるために、保護シェル及びその中に嵌め込むことが可能なモバイル機器のための支持具として機能する。これは、モバイル機器がスピーカーに隣接してコンテンツの表示のためのディスプレイを備えている場合に、特に有利である。ユーザーがこのディスプレイを見たい場合、それはユーザーの方に向けられなければならない。起立角、即ちモバイル機器が基礎に対して形成する角度は、その際、目的に応じて、より平坦に又はより急峻に選択され得る。
【００１６】
立てられた状態において、板状の部材及び基礎によって共鳴容積を形成し得るためには、板状の部材及び保護シェル、特に保護シェルの後壁の側面のエッジのうちのそれぞれ１つが、１つの平面内にあることが必要である。システムが基礎の上に立てられた場合、この基礎の表面は上記平面内にあることが必要であり、その結果、部材はこの基礎と面一（つらいち）で終端する。
【００１７】
板状の部材及び保護シェルは、上記平面と共に１つの容積を画定し、当該容積は、第２の部材と対向する側において開放されており、音響通路は当該容積の内部へ向けられている。
【００１８】
１つの有利な実施形態において、保護シェルの後壁はカバーを備え、当該カバーは、音響通路の位置に凹部を備えている。カバーは、その際、第１の板状の部材と一体に連結されることができ、その結果、このカバーは、ブックレットケースの態様で、モバイル機器のための保護具を形成する。凹部によって、この実施形態においても、音響通路は、音響及び共鳴容積内への直通の連結を作り出すことが保障される。
【００１９】
本発明の１つの実施形態において、第１の板状の部材は、関節によって互いに連結された複数のセグメントを備え得る。それにより、それぞれのセグメントの大きさ及び配置に応じて、様々な起立形状が実現され得る。
【００２０】
１つの有利な実施形態において、板状の部材の形状及び回動軸の配置は、立てられた状態において、保護シェル、特に後壁、並びに、第１の板状の部材のセグメント及び第２の板状の部材が１つの容積を画定するように選択されることができ、当該容積は、第２の板状の部材と対向する側において開放されており、音響通路は、当該容積の内部へ向けられている。特に、セグメント及び保護シェルの後壁によって三角柱の側面が形成され得る。その際、角柱の底面は第２の板状の部材によって閉鎖され、対向する正面は開放されている。
【００２１】
本発明の１つの有利な実施形態において、第２の板状の部材は、立てられた状態において、保護シェルの側壁と接触し得る。これによって、容積はこの方向で閉鎖され、その結果、第２の板状の部材と対向する開口が、容積の唯一の開口となる。これによって、特に良好な音響及び共鳴特性が得られる。
【００２２】
本発明の１つの特に有利な実施形態において、第２の板状の部材は、立てられた状態において、保護シェルのスピーカー開口を覆い得る。したがって、音波は、閉鎖された通路の中を、モバイル機器のスピーカーから音響及び共鳴容積の内部まで導かれる。平坦な状態において、スピーカー開口は覆われておらず、それゆえ外に向かって開いている。その結果、スピーカーは、この場合、その通常の放射特性を示す。モバイル機器が使われることなく片付けられる場合、当該モバイル機器は、典型的には後面又は前面を下にして置かれる。側壁のスピーカー開口は覆われていないので、音波は妨げられることなく放出され得る。したがって、例えば携帯電話の呼び出し音が弱められることはない。したがって、平坦な状態においては音波の方向転換は起こらないのに対して、保護シェルの後面の方向への音波の方向転換は、立てられた状態においてのみ生じる。
【００２３】
本発明の１つの有利な実施形態において、音響通路は、保護シェルの貫通した凹部として形成され得る。これは、音響通路が、保護シェルの内面から保護シェルの外面に至る連結を形成することを意味する。立てられた状態において、第２の板状の部材が音響通路を覆ってもよい。モバイル機器が嵌め込まれている場合、音響通路は側壁内を延び、モバイル機器によって下方が、また、第２の板状の部材によって上方が、境界付けられている。
【００２４】
本発明の１つの代替的な実施形態において、音響通路は、保護シェルの片側だけの凹部として形成され得る。つまり、保護シェルは、通路の形成のために完全には打ち抜かれておらず、くぼみを備えているだけである。このくぼみは、保護シェルの外面に存在し得る。外面は、保護シェルのうちモバイル機器とは反対側を向いた面である。それによって、特に側壁とモバイル機器の間の連結が密着したものでなく、それゆえ音響特性が変わる場合、スピーカーによって生成された音波が、部分的に保護シェルとモバイル機器の間の小さな間隙から漏れることが阻止され得る。音響通路は、したがって、側壁のくぼみとして延び、立てられた状態においては、第２の板状の部材によって外方を覆われている。代替的に、音響通路は、保護シェルの内面のくぼみとして具現され得る。これは、第２の板状の部材によって覆われ得ない領域において、有利である。音響通路は、したがって、側壁のくぼみとして延び、モバイル機器によって内方を覆われている。
【００２５】
本発明の１つの別の代替的な実施形態において、音響通路は、保護シェルの全範囲にわたって延び得る。音響通路は、したがって、第２の板状の部材とは独立して閉鎖された通路を形成し、全ての面において保護シェルの領域によって閉鎖されている。音響通路は、例えば、保護シェルの穴として具現され得る。
【００２６】
音響通路は、これらの実施形態の任意の組み合わせを備えることができ、それに応じて、様々な領域において異なる態様で具現され得る。
【００２７】
１つの有利な実施形態において、音響通路は、保護シェルの側壁及び／又は後壁を延びる。音響通路が保護シェルの後壁に続く場合、音の放出は、音響及び共鳴容積、したがって音響挙動に適合し得る。特に、保護シェルの範囲内を延びる音響通路又は片側だけの凹部として具現され内部へ向かって開放されている音響通路との組み合わせにおいて、音響通路の音響及び共鳴容積内への出口点は、音響特性を制御するために任意に選択され得る。
【００２８】
本発明の１つの有利な実施形態において、音響通路は、スピーカー開口の全幅にわたって延び得る。そのような実施形態は、特に容易に製作され得る。なぜなら、スピーカー開口と音響通路が、共通の凹部として具現されるからである。
【００２９】
本発明の１つの有利な実施形態において、音響通路は、スピーカー開口を起点として拡張し得る。それによって、音波は、特に小さな損失で、保護シェルの後壁に向かって、それゆえ音響及び共鳴容積内へ導かれる。
【００３０】
１つの有利な実施形態において、第１の板状の部材、特に第１の板状の部材のうち第２の板状の部材と対向する側には、第３の板状の部材がヒンジ結合されている。この実施形態は、２つの対向する側面のエッジにスピーカーが配置されているモバイル機器に特に適している。特に、第３の板状の部材の側にも、音響通路を備えるスピーカー開口が配置され得る。それぞれの板状の部材を開閉することによって、音響挙動が適合され得る。両側を閉じることによって、モバイル機器の音量を調整する必要を生じることなく例えば短時間の会話をするために、音量を大幅に弱めることができる。
【００３１】
課題は、さらに、スピーカーを備えるモバイル機器並びに上記実施形態のいずれか１つによるスピーカーカバーを有するスピーカーシステムであって、モバイル機器がスピーカーカバーの保護シェルの中に嵌め込まれており、保護シェルのスピーカー開口が、モバイル機器のスピーカーの位置に配置されているものによって解決される。
【００３２】
１つの有利な実施形態において、第１の板状の部材又は第１の板状の部材の１つのセグメントは、平坦な状態において、モバイル機器の表示装置の上に載っている。それによって、表示装置が損傷から保護される。
【００３３】
モバイル機器の他に、別の部材が、１つ又は複数のスピーカーを備え得る。開口によって直接的に又は音響通路を経て、部材により形成される容積内へ向けられるそれぞれのスピーカーは、スピーカーシステムの音像（Klangbild）全体に寄与する。
【００３４】
第２の板状の部材は、例えば三角形の基本形状を備え得る。部材の側面のエッジ、即ち下方のエッジは、そのとき平面内にあり、それによって基礎への連結を形成する。部材の前方のエッジは保護シェルと接しており、後方のエッジは第１の板状の部材と接している。下方のエッジと前方のエッジの間の角度は、それゆえ保護シェルの起立角と等しく、下方のエッジと後方のエッジの間の角度は、第１の板状の部材の傾斜角に対応する。
【００３５】
立てられた状態において特に高い安定性を達成するために、第１の板状の部材の傾斜角、即ち第２の板状の部材の下方のエッジと後方のエッジの間の角度は、９０°より小さくし得る。
【００３６】
特に良好な共鳴作用を達成するために、音響容積が実質的にただ１つの開口を有していることが重要である。したがって、個々の部材が可能な限り密着して互いに接触するよう留意すべきである。これを達成するために、第１の部材と第２の部材の間の本発明による回動可能な連結は、スプリング支持されたヒンジとして形成され得る。それによって、第２の部材は、スプリングによって保護シェルと接触した状態に保持される。
【００３７】
代替的に又は付加的に、保護シェルと第２の部材の間の連結は、磁気によって実現され得る。保護シェルが強磁性特性を有する場合、磁石は第２の部材を保護シェルの側壁と面一に引き付け、完全に閉じた連結をもたらす。
【００３８】
第１の板状の部材と第２の板状の部材の間の連結は、本発明に従って、ヒンジを備えるクランピングレール（Klemmschiene）によっても実現され得る。その際、ヒンジによって連結が折り畳み可能なものとなり、クランピングレールによって連結が可逆的に脱着可能なものとなる。ヒンジ及びクランピングレールは、その際、１つのユニットとしても形成され得る。
【００３９】
連結が永続的である必要がある場合、第２及び第１の板状の部材は一体にも形成され得る。連結部位における回動可能性は、その際、例えばフィルムヒンジ（Filmscharnier）の態様の減少された厚み及び／又は柔軟な材料によって達成される。
【００４０】
さらに、第２及び第１の板状の部材は、平坦に置かれた状態において単純に互いに上下に重なり合うのではなく、第１の部材が第２の部材のために適合した凹部を有することが企図され得る。第１の部材の当該領域は、その際、例えばちょうど第２の部材の厚さの分だけ減少された厚みを有する。それによって、凹部は、第２の部材によって塞がれる。凹部は、その際、問題なく折り畳むこと及び展開することが可能となるよう、第２の部材よりも幾分大きくし得る。
【００４１】
ユーザーが部材を折り畳まれた状態から展開された状態へ移行させたい場合に、ユーザーが第２の部材をつかみ得る必要がある。そのために、第１の部材の凹部が、例えば第２の部材の先端の位置において、第２の部材を２本の指でつかみ得るような態様で拡張していることが企図され得る。
【図面の簡単な説明】
【００４２】
【図１】携帯電話のための保護カバーの平面図である。
【図２】携帯電話が嵌め込まれた保護カバーの平面図である。
【図３】立てられた状態の従来技術による保護カバーの斜視図である。
【図４】本発明によるシステムの平面図である。
【図５】立てられた状態の本発明によるスピーカーシステムの斜視図である。
【図６】立てられた状態の本発明によるスピーカーシステムの遮音板が開かれた状態における斜視図である。
【図７】立てられた状態の本発明によるスピーカーシステムの保護シェルがない状態における斜視図である。
【図８】立てられた状態の本発明によるスピーカーシステムの別の角度からのビューである。
【図９】２つのスピーカーのための実施形態の保護シェルの斜視図である。
【図１０】本発明によるシステムの別の実施形態の遮音板がない状態における斜視図である。
【図１１ａ】本発明によるシステムの実施形態の側面図である。
【図１１ｂ】図１１ａの実施形態の遮音板がある状態における側面図である。
【図１２ａ】本発明によるシステムの実施形態の側面図である。
【図１２ｂ】図１２ａの実施形態の遮音板がある状態における側面図である。
【図１３ａ】本発明によるシステムの実施形態の側面図である。
【図１３ｂ】図１３ａの実施形態の遮音板がある状態における側面図である。
【図１４】音響通路を備えるスピーカー開口の斜視図である。
【図１５】音響通路を備えるスピーカー開口の別の斜視図である。
【図１６】２つの遮音板を備える本発明によるシステムの別の実施形態の斜視図である。
【発明を実施するための形態】
【００４３】
本発明が、以下において、実施例に基づき、図面に関連して、説明される。その際、記述された及び／又は図示された全ての特徴は、単独で又は任意の組み合わせにおいて、請求項又はその後方参照（Ruckbezugen）における要約にも左右されることなく、本発明の主題を形成する。
【００４４】
図１は、携帯電話２のための保護カバーの平面図である。この保護カバーは、実質的に、その中に携帯電話２が嵌め込まれ得る保護シェル４と、蓋８として具現され、保護シェル４の第１回動軸９の周りにヒンジ結合された第１の板状の部材８と、から成っている。保護シェル４は、後壁５と、エッジのそれぞれに１つの側壁６と、を備えている。下方の側壁６は、さらに、２つのスピーカー開口７を備えている。
【００４５】
携帯電話２は、図２に示されているように、携帯電話２の後面が保護シェル４の後壁５に接触し、側壁６が携帯電話２のそれぞれの側面のエッジに接触するような態様で、保護シェル４の中に嵌め込まれ得る。側壁６は、嵌め込まれた携帯電話２を保護シェル４の中で固定するために保護シェル４の内部へ突出した幅の狭いカラーであり得る。携帯電話２は、その下方のエッジに、２つのスピーカー３を有している。保護シェル４のスピーカー開口７は、スピーカー３が保護シェル４の側壁６によって覆われることがないよう、スピーカー３の位置に配置されている。蓋８は、携帯電話２の画面の保護のために保護シェルの前に折り畳まれることができ、その結果、蓋８は携帯電話２の画面の上に載る。
【００４６】
図３は、保護カバーを、携帯電話２と共に、立てられた状態で示している。その際、蓋８は、保護シェル４及びその中に嵌め込まれた携帯電話２のための支持具として機能する。携帯電話２で例えば動画又は音楽が再生される場合、スピーカー３によって生成される音波は、保護シェル４のスピーカー開口７を通じて放射され得る。
【００４７】
図１〜３に示されたもののような携帯電話のための保護カバーは、多くのバリエーションで従来技術から知られている。
【００４８】
図４は、携帯電話２及び本発明によるスピーカーカバー１を備える本発明によるスピーカーシステムを、平坦な状態において示している。当該システムは、第２の板状の部材１０を備えており、当該第２の板状の部材１０は、以下において遮音板１０として例示されると共に、蓋８の下方のエッジにおいて第２の回動軸１１にヒンジ結合されている。保護シェル４、蓋８及び遮音板１０は、完全に折り畳まれて１つの平面内にある。蓋８には凹部１３が設けられており、当該凹部１３は、遮音板１０の形状に対応する形状を有している。それによって、遮音板１０が蓋８の中に埋没するような態様で、遮音板１０を蓋８の上に折り畳むことが可能となる。蓋８は、その結果、遮音板１０が折り畳まれた状態で、回動軸９に沿って携帯電話２の上へ折り畳まれ得る。この平坦な状態において、携帯電話２、保護シェル４の後壁５、蓋８及び遮音板１０は、実質的に互いに平行である。
【００４９】
それに加えて、本実施形態の保護シェル４は、ただ１つのスピーカー開口７を有している。多くの携帯電話２は、デザイン上の理由から、その下方のエッジに１つの模造スピーカーと１つの動作するスピーカー３とを備えている。したがって、保護シェル４には、ただ１つのスピーカー開口７のみが設けられてさえいればよい。
【００５０】
図５は、本発明によるスピーカーシステムを立てられた状態において示している。保護シェル４、蓋８及び遮音板１０は、その際、その側面のエッジのうちのそれぞれ１つが平面２０内にある。遮音板１０は実質的に三角形に形成されており、２つの角は、保護シェル４と面一で終端するために、面取りされている。遮音板１０は、下方のエッジ、後方のエッジ及び前方のエッジを備えている。遮音板１０は、後方のエッジにおいて蓋８に固定されており、下方のエッジで平面２０内にある基礎の上に立ち、前方のエッジにおいて保護シェル４の側壁６に接触している。それによって、立てられた状態においては、蓋８、遮音板１０、保護シェル４及び基礎によって１つの容積が形成され、当該容積は部分面においてのみ開放されている。当該容積の開放された部分面は、遮音板１０と対向する側に位置している。
【００５１】
携帯電話２のスピーカー３のための音響及び共鳴容積として作用し得るために、スピーカー３から放射された音波は、蓋８、遮音板１０及び保護シェル４によって形成された容積内に導かれなければならない。図６は、分かりやすく図示するために本発明による遮音板１０が僅かに開かれた状態の本発明による実施形態を示している。保護シェル４は、側壁６に、スピーカー開口７のために音響通路１２を備えている。この音響通路１２は、側壁６の凹部として具現されており、スピーカー開口７から保護シェル４の後壁５まで、特に後壁５の後面まで、音響及び共鳴容積内へと延びている。音響通路１２は、スピーカー開口７の全幅にわたって延びている。スピーカー開口７及び音響通路１２は、したがって、保護シェル４の側壁６の共通の凹部として形成されており、当該凹部は、立てられた状態において、遮音板１０によって覆われている。音波は、したがって、閉鎖された通路内を、携帯電話２のスピーカー３から音響及び共鳴容積内にまで導かれる。平坦な状態において、スピーカー開口７及び音響通路１２は、外へ向かって開放されており、その結果、スピーカー３は、この場合、その通常の放射特性を示す。携帯電話２が、典型的にその後面又は前面を下にして置かれる場合、音波は、したがって、妨げられることなく放出される。したがって、例えば携帯電話２の呼び出し音が弱められることはない。したがって、平坦な状態においては音波の方向転換は起こらないのに対して、立てられた状態においてのみ音波の迂回が生じる。
【００５２】
後壁５、蓋８、遮音板１０及び基礎によって形成される容積は、したがって、携帯電話２のスピーカー３のための音響及び共鳴容積として機能し、それゆえ、音響特性の顕著な改善をもたらし得る。携帯電話２の起立角は、遮音板１０の前方のエッジと下方のエッジの間の角度を通じて予め設定されており、任意の鋭角であり得る。したがって、また、必要に応じて、携帯電話２の非常に平坦な起立角から非常に急峻な起立角までに対応する支持具が作り出される。
【００５３】
保護シェル４の後壁５は、さらに、蓋８と一体に連結されたカバー１６を備えている。カバー１６は、図７に示された図示では、保護シェル４のない状態で見ることができる。カバー１６は凹部１７を備えており、当該凹部１７は、音響通路１２を音響及び共鳴容積と接続している。カバー１６は、蓋８と共に、携帯電話のためのブックレットケースを形成している。
【００５４】
図８は、共鳴容積の開放された側を見ることができる本発明の図示を示している。遮音板１０が閉じられた状態においては、この開口は音響及び共鳴容積のためのただ１つの開口を形成しており、したがって、それを通じて音響が周囲へ放射される。
【００５５】
図９は、２つのスピーカー３を備える実施形態の保護シェル４を示しており、ただ１つのスピーカー開口７が両方のスピーカー３にわたって延びている。音響通路１２は、このスピーカー開口７の全幅にわたって延びている。代替的に、スピーカー３のそれぞれのための個別の音響通路１２を備える共通のスピーカー開口７が設けられ得る。
【００５６】
蓋８は、１つの実施形態において、複数のセグメント１４，１５から構築され、それらは、連結部位において折り畳みが可能であるように、互いに連結されている。折り畳みが可能な連結は、典型的には、セグメント１４，１５の間の薄く柔軟な材料によって実現される。そのような蓋８を備える１つの実施形態が図１０に示されている。セグメント１４，１５を折り畳むことによって、蓋８から、携帯電話２のための支持具が作り出され得る。この支持具によって、携帯電話２は、図１０における斜視図に見られるように、角度を付けられた状態で立てられ得る。蓋８の第１のセグメント１４は、その際、ほぼ中央で保護シェルにヒンジ結合されている。図示された立てられた状態において、蓋８の第２のセグメントは、平坦に基礎の上に載っている。遮音板１０は、図１０には図示されていないが、この実施形態においては、その下方のエッジで蓋８の第２のセグメント１５と、その後方のエッジで蓋８の第１のセグメント１４と、その前方のエッジで保護シェル４の側壁６と、それぞれ接触している。それによって、保護シェル４、特に保護シェル４の後壁５、第１及び第２のセグメント１４，１５及び遮音板１０によって、１つの音響及び共鳴容積が形成される。この実施形態は、したがって、音響及び共鳴容積を作り出すために平坦な基礎を必要とせず、例えば手で持つこともできる。
【００５７】
また、この実施形態では、保護シェル４の後壁５は、蓋８と一体に連結されたカバー１６を備えている。カバー１６は、後壁５の一部の領域にわたってのみ延びており、平らに置かれた状態において、第１のセグメント１４は、保護シェル４の後壁５のその他の部分領域と接触している。しかしながら、第１のセグメントは、立てられた状態において、後壁５から遠ざかるように折り畳まれているので、凹部を備える必要はない。
【００５８】
図１１ａは、１つの代替的な実施形態の側面図を示しており、スピーカー３を備えるモバイル機器２は破線で示されている。スピーカー開口７の音響通路１２は、スピーカー開口７よりも小さな幅を有し、スピーカー開口７から保護シェル４の後壁５まで、音響及び共鳴容積の内部に延びている。図１１ｂには、図１１ａの実施形態が、遮音板１０と共に示されている。遮音板１０は三角形の形状を有しており、蓋８の第２のセグメント１５にヒンジ結合されている。遮音板１０は、スピーカー開口７及び音響通路１２が覆われ、したがって容積内部への閉鎖された通路を形成するような態様で、保護シェル４の側壁６と接触している。
【００５９】
別の実施形態が、側面図において、図１２ａに示されている。音響通路１２は、スピーカー開口７の全幅を有し、スピーカー開口７を起点として後壁５へ向かう方向に拡張しており、携帯電話２のスピーカー３から保護シェルの後壁５まで音響及び共鳴容積の内部へ延びている。図１２ｂには、図１２ａの実施形態が、遮音板１０と共に示されている。遮音板１０は実質的に三角形の形状を有し、１つの角は、保護シェル４と面一で終端するために、面取りされている。遮音板１０は、スピーカー開口７及び音響通路１２が覆われ、したがって容積内部への閉鎖された通路を形成するような態様で、保護シェル４の側壁６と接触している。本実施形態は、さらに、第２のスピーカー３の上に第２のスピーカー開口７を備えている。このスピーカー開口７は、容積の内部への音響通路を備えておらず、遮音版１０によって覆われていない。容積の内部及び外部のスピーカー３の組み合わせによって、スピーカーシステムの音響が影響を受け得る。
【００６０】
別の実施形態が、側面図において、図１３ａに示されている。スピーカー開口７の音響通路１２は、スピーカー開口７よりも小さな幅を有し、スピーカー開口７から保護シェル４の後壁５まで、音響及び共鳴容積の内部に延びている。携帯電話２は、さらに、第２のスピーカー３を備えている。この第２のスピーカー３を覆うスピーカー開口７は配置されていない。その代わりに、保護シェル４の側壁６は、側壁６の全範囲にわたって延びる音響通路１２を備えている。音響通路は、携帯電話のスピーカー３を覆う位置で始まり、保護シェルの後壁５で終わっており、その結果、スピーカーから容積の内部までの閉鎖された通路が生じる。図１３ｂには、図１３ａの実施形態が、遮音板１０と共に示されている。第２のスピーカー３によって生成された音響は、したがって、遮音板がスピーカーの上の領域を覆う必要なく、音響及び共鳴容積の内部へ導かれ得る。
【００６１】
図１４及び１５は、それぞれ、後壁５及び側壁６を備える本発明による保護シェル４の後面の一断面の斜視図を示している。図１４には、側壁６のスピーカー開口７が示されており、当該スピーカー開口７は、スピーカー開口７から後壁５までの幅の狭い音響通路１２によって、保護シェル４の後面と接続されている。
【００６２】
図１５は、スピーカー開口７の全幅にわたって延びる音響通路１２を備える実施形態の同一の断面を示している。音響通路１２は、側壁６のスピーカー開口７で始まり、後壁５に連なっている。
【００６３】
図１６は、第２の遮音板１８を備える実施形態を示している。この第２の遮音板１８は、蓋８のうち第１の遮音板１０と対向する側にヒンジ結合されている。それぞれの遮音板１０，１８を開閉することによって、音響挙動が適合され得る。この実施形態は、２つの対向する側面のエッジにスピーカー３が配置されたモバイル機器２に特に適している。
【００６４】
板状の部材から構成されていることにより、本発明によるスピーカーシステムは、折り畳むことができ、したがって輸送のために場所を取ることなく詰め込むことができる。同時に、立てられた状態においては、良好な音質をもたらす共鳴容積が形成される。
【符号の説明】
【００６５】
１    スピーカーカバー
２    携帯電話
３    スピーカー
４    保護シェル
５    後壁
６    側壁
７    スピーカー開口
８    蓋
９    第１の回動軸
１０  遮音板
１１  第２の回動軸
１２  音響通路
１３  遮音板のための凹部
１４  第１のセグメント
１５  第２のセグメント
１６  カバー
１７  凹部
１８  第２の遮音板
２０  平面
【図１】
2019110528.tif 000003
【図２】
2019110528.tif 000004
【図３】
2019110528.tif 000005
【図４】
2019110528.tif 000006
【図５】
2019110528.tif 000007
【図６】
2019110528.tif 000008
【図７】
2019110528.tif 000009
【図８】
2019110528.tif 000010
【図９】
2019110528.tif 000011
【図１０】
2019110528.tif 000012
【図１１ａ】
2019110528.tif 000013
【図１１ｂ】
2019110528.tif 000014
【図１２ａ】
2019110528.tif 000015
【図１２ｂ】
2019110528.tif 000016
【図１３ａ】
2019110528.tif 000017
【図１３ｂ】
2019110528.tif 000018
【図１４】
2019110528.tif 000019
【図１５】
2019110528.tif 000020
【図１６】
2019110528.tif 000021
【外国語明細書】
2019110528000001.pdf